(57)【要約】【課題】回路基板に実装されたコネクタにフレキシブル配線基板を接続する際、確実に挿入する。【解決手段】回路基板１１の一面にはコネクタ１５が実装されており、フレキシブル配線基板１４に備えられたコネクタ接続部１４ａがコネクタに挿入接続された状態において、回路基板１１のコネクタが実装された一面と反対側の他面に、コネクタ端子接続部の外形形状を示す第２のコネクタ接続部パターン１９が形成されている。【選択図】図５
2013135158.tif 000002
【特許請求の範囲】
【請求項１】
回路基板にフレキシブル配線基板が電気的に接続された電子機器であって、
前記回路基板の一面にはコネクタが実装されており、
前記フレキシブル配線基板に形成されたコネクタ接続部が前記コネクタに挿入接続された状態において、前記回路基板の前記コネクタが実装された一面と反対側の他面に、前記コネクタ接続部の外形形状を示すコネクタ接続部パターンが形成されていることを特徴とする電子機器。
【請求項２】
前記回路基板の前記コネクタが実装された一面と反対側の他面に、前記コネクタの外形形状を示すコネクタパターンが形成されていることを特徴とする請求項１に記載の電子機器。
【請求項３】
前記コネクタと前記コネクタ接続部との接続位置において、前記回路基板の外周縁には、前記回路基板の前記他面にて前記コネクタを露出させる切り欠き部が形成されていることを特徴とする請求項１または２に記載の電子機器。
【請求項４】
前記コネクタ接続部パターンは銅箔パターンで形成されていることを特徴とする請求項１ないし３のいずれか１項に記載の電子機器。
【請求項５】
前記コネクタ接続部パターンはシルク印刷またはレジスト抜きパターンで形成されていることを特徴とする請求項１ないし３のいずれか１項に記載の電子機器。
【請求項６】
前記コネクタパターンおよび前記コネクタ接続部パターンは前記回路基板の表層の配線部と内層の配線部とを電気的に接続するためにスルーホールによって規定されていることを特徴とする請求項２に記載の電子機器。
【請求項７】
前記コネクタ接続部には前記コネクタへの挿入方向に交差する方向に突出する凸形状部が形成されており、
前記凸形状部の挿入方向側は前記コネクタ接続部を前記コネクタに挿入接続した際、前記回路基板の外周縁と一致することを特徴とする請求項１ないし６のいずれか１項に記載の電子機器。
【請求項８】
前記コネクタ接続部にはその一面から他面に貫通する穴部が形成されており、
前記コネクタ接続部を前記コネクタに挿入接続した際、前記回路基板の外周縁を規定する直線上に前記穴部の挿入方向側が位置することを特徴とする請求項１ないし６のいずれか１項に記載の電子機器。
【発明の詳細な説明】
【技術分野】
【０００１】
本発明は、複数の回路基板がコネクタで電気的に接続された電子機器に関する。
【背景技術】
【０００２】
一般に、複数の回路基板をコネクタで接続した回路基板の接続構造が知られている。例えば、２枚の回路基板をコネクタで電気的に接続する際には、一方の回路基板にコネクタを実装する。そして、当該コネクタにフレキシブル配線基板に形成した接続部を接続している。
【０００３】
ところで、フレキシブル配線基板をコネクタに挿入する際の作業を容易とするため、フレキシブル配線基板に補強板を備えて、当該フレキシブル配線基板を回路基板に実装されたコネクタに挿入するようにしている。ここでは、フレキシブル配線基板が正確にコネクタに挿入されことを確認するため、補強板の端面の位置に対応する回路基板上にマークがシルク印刷されている（特許文献１参照）。
【０００４】
特許文献１においては、フレキシブル配線基板をコネクタに挿入した際に、作業者は補強板の端面と回路基板上のシルク印刷マークとの相対的位置を確認すれば、フレキシブル配線基板の挿入不足および斜め挿入などの誤挿入を防止することができる。
【先行技術文献】
【特許文献】
【０００５】
【特許文献１】特開２００８−１１７９４７号公報
【発明の概要】
【発明が解決しようとする課題】
【０００６】
ところが、特許文献１においては、作業者がコネクタの実装面側からフレキシブル配線基板における補強板の位置、そして、回路基板におけるシルク印刷マークを目視確認できる状況になければ、フレキシブル配線基板の誤挿入を確実に防止することは困難である。
【０００７】
さらに、作業者から見て回路基板の裏側にコネクタが実装されていると、作業者が目視できないコネクタに対してフレキシブル配線基板を正確に挿入することは極めて困難である。
【０００８】
従って、本発明の目的は回路基板に実装されたコネクタにフレキシブル配線基板を接続する際、確実に挿入することのできる電子機器を提供することにある。
【課題を解決するための手段】
【０００９】
上記の目的を達成するため、本発明による電子機器は、回路基板にフレキシブル配線基板が電気的に接続された電子機器であって、前記回路基板の一面にはコネクタが実装されており、前記フレキシブル配線基板に形成された接続部が前記コネクタに挿入接続された状態において、前記回路基板の前記コネクタが実装された一面と反対側の他面に、前記接続部の外形形状を示す接続部パターンが形成されていることを特徴とする。
【発明の効果】
【００１０】
本発明によれば、回路基板に実装されたコネクタに、フレキシブル配線基板の接続部を接続する際、確実に挿入することができる。
【図面の簡単な説明】
【００１１】
【図１】本発明の第１の実施形態による電子機器としてのデジタルカメラにおいてそのフロントカバーを外して正面からみた斜視図である。
【図２】図１に示すデジタルカメラのＡ−Ａ’平面における断面の一部を詳細に示す図である。
【図３】図１に示すデジタルカメラのＡ−Ａ’平面の近傍において組立途中における要部を示す斜視図である。
【図４】図３に示すオーディオ回路基板およびスピーカーＦＰＣのコネクタ端子部のみを示す斜視図であり、（ａ）はデジタルカメラの上方からみた斜視図、（ｂ）はデジタルカメラの下方からみた斜視図である。
【図５】図４に示すコネクタ端子部とＦＰＣコネクタとの接続を説明するための図であり、（ａ）はコネクタ端子部がＦＰＣコネクタに挿入される前の状態を示す図、（ｂ）はコネクタ端子部がＦＰＣコネクタに完全に挿入された状態を示す図である。
【図６】本発明の第２の実施形態による電子機器の一例として、図４に示すコネクタ端子部がＦＰＣコネクタに挿入される前の状態でオーディオ回路基板の上面の一例を示す図である。
【図７】本発明の第２の実施形態による電子機器の一例として、図４に示すコネクタ端子部がＦＰＣコネクタに挿入される前の状態でオーディオ回路基板の上面の他の例を示す図である。
【図８】本発明の第３の実施形態による電子機器の一例として、コネクタ端子部がＦＰＣコネクタに完全に挿入された状態でオーディオ回路基板の上面を示す図である。
【発明を実施するための形態】
【００１２】
以下、本発明を実施した電子機器について図面を参照して説明する。なお、以下の説明では、本発明を実施した電子機器として、デジタルカメラを例に説明するが、デジタルカメラに限らず、回路基板を用いる電子機器であれば本実施の形態を適用することができる。
【００１３】
［第１の実施形態］
図１は、本発明の第１の実施形態としてのデジタルカメラにおいてそのフロントカバーを外して正面からみた斜視図である。
【００１４】
図１において、デジタルカメラはその正面の略中央に繰り出し及び沈胴が可能な鏡筒１を備えている。また、図中鏡筒１の左側にはシステム回路基板２が配置されている。さらに、鏡筒１の上端側には所定の距離をおいて２個のマイク３が配置され、これらマイクによって外部からの音響（音声）が取り込まれる。そして、マイク３はマイクフレキシブル配線基板（以下マイクＦＰＣという）４に実装されている。
【００１５】
デジタルカメラの上面には、電源スイッチ５、再生スイッチ６、およびシャッタースイッチ７が配置されている。これら電源スイッチ５、再生スイッチ６、およびシャッタースイッチ７はユーザーがデジタルカメラを操作するための操作系スイッチである。操作系スイッチは操作系ＦＰＣ８に実装され、この操作系ＦＰＣ８は操作系板金９によって支持されている。
【００１６】
また、図示のように、システム回路基板２にはコネクタ１３が実装され、後述するように、オーディオ回路ブロック（図１には示さず）がコネクタ１３に電気的に接続される。
【００１７】
図２は、図１に示すデジタルカメラのＡ−Ａ’平面における断面の一部を詳細に示す図である。
【００１８】
回路基板としてのオーディオ回路基板１１にはオーディオ回路ブロック（図２には示さず）が搭載されている。このオーディオ回路ブロックはマイクＦＰＣ４と基板間コネクタ１２によって電気的に接続される。マイク３（図２では示されていない）はマイクＦＰＣ４および基板間コネクタ１２を介して、オーディオ回路ブロックに電気的に接続される。そして、オーディオ回路ブロックは、基板間コネクタ１２およびマイクＦＰＣ４を介してシステム回路基板２に実装されたコネクタ１３（図１）に電気的に接続される。
【００１９】
また、スピーカー（図示せず）がフレキシブル配線基板としてのスピーカーＦＰＣ１４に実装されており、スピーカーＦＰＣ１４はオーディオ回路基板１１に実装されたＦＰＣコネクタ１５に電気的に接続される。コネクタとしてのＦＰＣコネクタ１５は、アクチュエーターなどを備えておらず、ＦＰＣコネクタ１５内部のコンタクトのみでＦＰＣを保持する構造を有している。
【００２０】
ＦＰＣコネクタ１５にＦＰＣを接続する際には、ＦＰＣコネクタ１５の挿入口からＦＰＣを挿入する。そして、ＦＰＣがＦＰＣコネクタ１５内部の壁に突き当たると、挿入作業が完了する。また、ＦＰＣコネクタ１５からＦＰＣを抜去する際には、ＦＰＣを挿入方向とは反対方向に引っ張ればよい。
【００２１】
ユーザーがデジタルカメラを操作した場合の操作音、そして、デジタルカメラに保存さした動画データを再生した際の音信号は、オーディオ回路ブロック１０からＦＰＣコネクタ１５およびスピーカーＦＰＣ１４を介してスピーカーに送られる。これによって、スピーカーから操作音又は音声などの音響が出力される。
【００２２】
続いて、図１に示すデジタルカメラの組み立て手順について説明する。
【００２３】
図３は、図１に示すデジタルカメラのＡ−Ａ’平面の近傍において組立途中における要部を示す斜視図である。
【００２４】
デジタルカメラは全体の骨格であるメインシャーシ１６を備えている。このメインシャーシ１６には鏡筒１が固定され、鏡筒１の上側においてメインシャーシ１６にはオーディオ回路基板１１が固定されている。
【００２５】
鏡筒１およびオーディオ回路基板１１の間からスピーカーＦＰＣ１４のコネクタ接続部１４ａが露出しており、図示の例では、コネクタ接続部１４ａは未だＦＰＣコネクタ１５に挿入されていない。この時点では、マイクＦＰＣ４、操作系ＦＰＣ８、および操作系板金（図２）９はデジタルカメラの筐体（メインシャーシなど）に組み付けられていない状態である。
【００２６】
図４は、図３に示すオーディオ回路基板１１およびスピーカーＦＰＣ１４のコネクタ接続部１４ａのみを示す斜視図である。そして、図４（ａ）はデジタルカメラの上方からみた斜視図であり、図４（ｂ）はデジタルカメラの下方からみた斜視図である。
【００２７】
図４では、コネクタ接続部１４ａをＦＰＣコネクタ１５に挿入する例が示されており、ここでは、破線で示す状態はコネクタ接続部１４ａがＦＰＣコネクタ１５に完全に挿入された状態を示している。つまり、破線で示す状態では、コネクタ接続部１４ａによってスピーカーＦＰＣ１４とオーディオ回路基板１１とが電気的に接続される。
【００２８】
図示の例では、オーディオ回路基板１１の上面には、基板間コネクタ１２およびオーディオ回路ブロック１０が実装され、オーディオ回路基板１１の下面（一面）にはＦＰＣコネクタ１５が実装されている。
【００２９】
図５は、図４に示すコネクタ接続部１４ａとＦＰＣコネクタ１５との接続を説明するための図である。そして、図５（ａ）はコネクタ接続部１４ａがＦＰＣコネクタ１５に挿入される前の状態を示す図であり、図５（ｂ）はコネクタ接続部１４ａがＦＰＣコネクタ１５に完全に挿入された状態を示す図である。
【００３０】
オーディオ回路基板１１の裏面（一面）に実装されたＦＰＣコネクタ１５の位置が容易に理解できるように、ＦＰＣコネクタ１５の挿入前であるが、図５（ａ）においてはＦＰＣコネクタ１５の外形が破線１５ａで示されている。また、オーディオ回路基板１１によって隠れて見えないコネクタ接続部１４ａの位置が容易に分かるように、図５（ｂ）において、コネクタ接続部１４ａの外形が一部破線１４ｂで示されている、そして、図５（ｂ）においては、コネクタ接続１４ａが挿入前の状態において二点鎖線で示されている。
【００３１】
オーディオ回路基板１１の上面（他面）には、基板間コネクタ１２（図４）およびオーディオ回路ブロック１０（図４）を接続するための配線１７が銅箔によるエッチングで形成されている。さらに、オーディオ回路ブロック１０を相互に接続する配線（図示せず）が銅箔によるエッチングで形成されている。
【００３２】
銅箔の配線表面は絶縁性のレジスト（図示せず）で覆われており、これによって、配線と周囲の導体との短絡が防止される。なお、図３および図４においては銅箔による配線は省略されている。
【００３３】
図４においては、オーディオ回路基板１１の上面（他面）には、ＦＰＣコネクタ１５に完全に挿入（挿入接続ともいう）された状態のコネクタ接続部１４ａの外形が投影された形状がパターン（コネクタ接続部パターン）で形成されており、さらに、ＦＰＣコネクタ１５の外形が投影された形状がパターン（コネクタパターン）で形成されている。図示のＦＰＣコネクタ１５の外形形状（パターン）１８は銅箔を抜くことによって形成され、コネクタ接続部１４ａの外形形状（パターン）１９は銅箔によるベタパターンで形成されている。
【００３４】
オーディオ回路基板１１の外縁には、ＦＰＣコネクタ１５とコネクタ接続部１４ａとの接続位置に、ＦＰＣコネクタ１５の一部を露出させる切り欠き部２０が形成されている。この切り欠き部２０によってオーディオ回路基板１１を上面から見た際に、オーディオ回路基板１１の裏面に実装されたＦＰＣコネクタ１５の一部を目視で確認することができる。
【００３５】
コネクタ接続部１４ａの側周縁には凸形状部１４ｃが形成されている。凸形状部１４ｃは、コネクタ接続部１４ａの挿入端と交差する側面に当該側面から突出してそれぞれ形成されている。そして、コネクタ接続部１４ａがＦＰＣコネクタ１５に完全に挿入された状態では、凸形状部１４ｃの挿入端側面がオーディオ回路基板１１の外周縁２１に当接して、挿入端側面と外周縁２１とはほぼ同一のライン上に位置する。
【００３６】
デジタルカメラの組立工程において、作業者は図３に示す状態でデジタルカメラの筐体を上方から見つつ、コネクタ接続部１４ａをピンセットなどで保持して、コネクタ端子部１５ａをＦＰＣコネクタ１５に接続する。作業性を考慮すると、ＦＰＣコネクタ１５がオーディオ回路基板１１の上面に配置された方がＦＰＣコネクタ１５とコネクタ接続部１４ａとの相対的位置を目視で確認できるので望ましい。
【００３７】
ところが、図２に示す断面図から容易に理解できるように、オーディオ回路基板１１の上方に位置する空間には、マイクＦＰＣ４および操作系板金９が存在するので、オーディオ回路基板１１の上面にＦＰＣコネクタ１５を配置することは極めて困難である。
【００３８】
このため、前述のように、第１の実施形態では、ＦＰＣコネクタ１５の外形形状（パターン）１８をオーディオ回路基板１１の上面に形成するとともに、コネクタ接続部１４ａの外形形状（パターン）１９をオーディオ回路基板１１の上面に形成する。これら外形形状１８および１９を見れば、作業者は接続作業の際コネクタ接続部１４ａとＦＰＣコネクタ１５との相対的位置を目視で容易に確認することができる。
【００３９】
従って、オーディオ回路基板１１の面内方向（径方向内側）に関してＦＰＣコネクタ１５に対するコネクタ接続部１４ａの相対的位置が容易に分かる。よって、デジタルカメラの筐体の構造上、作業者から見てオーディオ回路基板１１の裏面にＦＰＣコネクタ１５が配置された場合においても、作業者はＦＰＣコネクタ１５にコネクタ接続部１４ａを挿入する作業を容易に行うことができる。
【００４０】
さらに、オーディオ回路基板１１の外周縁に形成された切り欠き部２０を介して、作業者はオーディオ回路基板１１の裏面に実装されたＦＰＣコネクタ１５の一部を目視することができる。よって、オーディオ回路基板１１の厚み方向に関して、作業者はＦＰＣコネクタ１５に対するコネクタ接続部１４ａの相対的位置を容易に把握することができる。
【００４１】
この点においても、作業者から見てオーディオ回路基板１１の裏面にＦＰＣコネクタ１５が配置された場合であっても、作業者はＦＰＣコネクタ１５にコネクタ接続部１４ａを挿入する作業を容易に行うことができる。
【００４２】
また、前述したように、コネクタ接続部１４ａがＦＰＣコネクタ１５に完全に挿入された状態では、凸形状部１４ｃの挿入端側面とオーディオ回路基板１１の外周縁２１とが当接する。つまり、コネクタ接続部１４ａがＦＰＣコネクタ１５に完全に挿入された状態で、凸形状部１４ｃの挿入端側面とオーディオ回路基板１１の外周縁２１とが当接する位置に凸形状部１４ｃがコネクタ接続部１４ａに形成されている。
【００４３】
これによって、ＦＰＣコネクタ１５に対するコネクタ接続部１４ａの挿入が不完全な場合には、凸形状部１４ｃとオーディオ回路基板１１の外周縁との間に隙間が生じることになる。従って、作業者にはコネクタ接続部１４ａの挿入が不完全であることが容易に分かり、組立の品質を向上させることができる。
【００４４】
なお、第１の実施形態においては、凸形状部１４ｃの挿入端側面（端子部先端側面）がオーディオ回路基板１１の外周縁に当接するようにしたが、凸形状１４ｃの端子部先端側面と反対側の面がオーディオ回路基板１１の外周縁と当接するように凸形状部１４ｃを形成するようにしてもよい。
【００４５】
この場合には、凸形状１４ｃがオーディオ回路基板１１の外周縁２１からはみ出すになり、これによって、作業者にはコネクタ接続部１４ａの挿入が不完全であることが容易に分かる。
【００４６】
さらに、コネクタ接続部１４ａに備えられた補強板（図示せず）の端とオーディオ回路基板１１との外周縁とが一致するように補強板形状を規定するようにしても、同様に、作業者にはコネクタ接続部１４ａの挿入が不完全であることが容易に分かる。
【００４７】
［第２の実施形態］
続いて、本発明の第２の実施形態について説明する。
【００４８】
図６は、本発明の第２の実施形態において図４に示すコネクタ接続部１４ａがＦＰＣコネクタ１５に挿入される前の状態でオーディオ回路基板１１の上面の一例を示す図である。なお、図６において、図４に示す例と同一の部分は同一の参照番号を付し説明を省略する。
【００４９】
図６において、オーディオ回路基板１１の上面に形成された銅箔パターン２２はベタパターンで形成されている。そして、コネクタ接続部１４ａがＦＰＣコネクタ１５に完全に挿入された状態におけるコネクタ接続部１４ａの外形を投影した外形形状（パターン）２３がシルク印刷で形成される。さらに、ＦＰＣコネクタ１５の外形を投影した外形形状（パターン）２４がシルク印刷で形成される。
【００５０】
なお、ここでは、外形形状２３および２４をシルク印刷を用いて形成するようにしたが、シルク印刷の代わりにレジスト抜き形状を用いて外形形状２３および形状２４を形成するようにしてもよい。
【００５１】
図７は、本発明の第２の実施形態において図４に示すコネクタ接続部１４ａがＦＰＣコネクタ１５に挿入される前の状態でオーディオ回路基板１１の上面の他の例を示す図である。なお、図７において、図４に示す例と同一の部分は同一の参照番号を付し説明を省略する。
【００５２】
図７において、オーディオ回路基板１１の上面に形成された銅箔パターン２２はベタパターンで形成されている。さらに、オーディオ回路基板１１にはその表層の銅箔（配線部）と内層の銅箔（配線部）とを電気的に接続するためにスルーホールが複数形成されている。当該スルーホールを連続的に配置することによって、複数のスルーホールを線状に配置する。
【００５３】
そして、これらスルーホールによって、コネクタ接続部１４ａがＦＰＣコネクタ１５に完全に挿入された状態におけるコネクタ接続部１４ａの外形を投影した外形形状（パターン）２５を規定する。さらに、ＦＰＣコネクタ１５の外形を投影した外形形状（パターン）２６を線状に配置されたスルーホールによって規定する。
【００５４】
図６又は図７に示す例では、シルク印刷又はスルーホールによってＦＰＣコネクタ１５およびコネクタ接続部１４ａの外形形状をオーディオ回路基板１１の上面に規定するようにしたので、オーディオ回路基板１１の面内方向に関してＦＰＣコネクタ１５に対するコネクタ接続部１４ａの相対的位置が容易に分かる。
【００５５】
このため、デジタルカメラの筐体の構造上、作業者から見てオーディオ回路基板１１の裏面にＦＰＣコネクタ１５が配置された場合であっても、作業者はＦＰＣコネクタ１５にコネクタ接続部１４ａを挿入する作業を容易に行うことができる。
【００５６】
さらに、銅箔２２をベタパターンとしたので、オーディオ回路基板１１からの不要輻射を防ぐシールド効果を表層の銅箔２２が備えることができる。
【００５７】
［第３の実施形態］
続いて、本発明の第３の実施形態について説明する。
【００５８】
図８は、本発明の第３の実施形態において図４に示すコネクタ接続部１４ａがＦＰＣコネクタ１５に完全に挿入された状態でオーディオ回路基板１１の上面を示す図である。なお、図８において、図４に示す例と同一の部分は同一の参照番号を付し説明を省略する。また、図８では、コネクタ接続部１４ａが挿入前の状態で二点鎖線で示されている。
【００５９】
図８に示す例では、コネクタ接続部１４ａには、穴形状部（穴部）２７が形成されている。この穴形状部２７はコネクタ接続部１４ａの表面から裏面に貫通しており、好ましくは、凸形状部１４ｃが形成される位置に対応して形成される。
【００６０】
コネクタ接続部１４ａをＦＰＣコネクタ１５に挿入する際には、作業者は穴形状部２７にピンセットなどを挿してコネクタ接続部１４ａを摘む。そして、作業者はコネクタ接続部１４ａをＦＰＣコネクタ１５に挿入する。
【００６１】
図示のように、コネクタ接続部１４ａがＦＰＣコネクタ１５に挿入された際、穴形状部２７の挿入端側（挿入方向側）はオーディオ回路基板１１の外周縁２１を規定する直線上に位置する。よって、ＦＰＣコネクタ１５に対するコネクタ接続部１４ａの挿入が不完全な場合には、穴形状部２７とオーディオ回路基板１１の外周縁２１との間に隙間が発生する。これによって、作業者は、コネクタ接続部１４ａの挿入が不完全であることが容易に分かり、組立の品質を向上させることができる。
【００６２】
以上のように、本発明の実施の形態によれば、第１の回路基板であるオーディオ回路基板１１の裏面に搭載されたＦＰＣコネクタ１５に第２の回路基板を接続するためのコネクタ接続部１４ａを挿入する際、オーディオ回路基板１１の表面から見てもＦＰＣコネクタ１５とコネクタ接続部１４ａとの相対的位置が容易に分かる。つまり、装置筐体の構造上、作業者から見て第１の回路基板の裏面にＦＰＣコネクタ１５が配置された場合であっても、ＦＰＣコネクタ１５に第２の回路基板を接続するためのコネクタ端子部を容易にしかも確実に挿入することができる。
【００６３】
さらに、ＦＰＣコネクタ１４の一部が第１の回路基板の表面側から目視できるので、第１の回路基板の厚み方向に関して、ＦＰＣコネクタ１５に対するコネクタ接続部１４ａの相対的位置を容易に把握することができる。その結果、装置筐体の構造上、作業者から見て第１の回路基板の裏面にＦＰＣコネクタ１５が配置された場合であっても、ＦＰＣコネクタ１５に第２の回路基板を接続するためのコネクタ端子部を容易にしかも確実に挿入することができる。
【００６４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６５】
４  マイクＦＰＣ
９  操作系板金
１１  オーディオ回路基板（回路基板）
１４  スピーカーＦＰＣ（フレキシブル配線基板）
１４ａ  コネクタ接続部
１５  ＦＰＣコネクタ
１６  メインシャーシ
２０  切り欠き部
１４ｃ  凸形状部
２７  穴形状部
【図１】
2013135158.tif 000003
【図２】
2013135158.tif 000004
【図３】
2013135158.tif 000005
【図４】
2013135158.tif 000006
【図５】
2013135158.tif 000007
【図６】
2013135158.tif 000008
【図７】
2013135158.tif 000009
【図８】
2013135158.tif 000010